(57)【要約】  暗所において包装体からたばこ物品を取り出す際の作業容易性を従来よりも向上させることの可能な技術を提供する。たばこ物品を包装する包装体であって、包装体のうち、該包装体に包装されているたばこ物品を外部に取り出す操作をユーザが行う際に依拠する特定部位の外面に、蓄光顔料を含む蓄光部が設けられている。
2017017856.tif 000002
【特許請求の範囲】
【請求項１】
たばこ物品を包装する包装体であって、
前記包装体のうち、該包装体に包装されているたばこ物品を外部に取り出す操作をユーザが行う際に依拠する特定部位の外面に、蓄光顔料を含む蓄光部が設けられている、
たばこ物品の包装体。
【請求項２】
前記蓄光部は、前記包装体の開封時に該包装体から切り離される開封帯の先端摘み部、及び前記包装体のうち該先端摘み部に近接する先端摘み近接領域の少なくとも何れか一方の部位に設けられている、
請求項１に記載のたばこ物品の包装体。
【請求項３】
前記蓄光部は、前記包装体のうち該包装体を密封する外包フィルムを開封する開封テープの先端摘み部と上下に重なる先端摘み重複部、及び該先端摘み重複部に近接する先端摘み近接領域の少なくとも何れか一方の部位に設けられている、
請求項１に記載のたばこ物品の包装体。
【請求項４】
前記包装体は、内包紙によってたばこ物品を包み込み且つ該たばこ物品の端部側に該内包紙を折り込むことで形成される閉塞面を有する内箱部と、外包紙により形成されて前記閉塞面が露出するように前記内箱部を包む外箱部と、を備えるソフトパッケージであって、
前記蓄光部は、前記内包紙のうち前記閉塞面に対応する部位の少なくとも一部に設けられている、
請求項１に記載のたばこ物品の包装体。
【請求項５】
前記包装体は、上部に開口端を有すると共に内部にたばこ物品を収容可能な収納本体部と、ヒンジを介して前記収納本体部に接続されると共に前記開口端を開閉可能な蓋部と、を備えるヒンジリッドパッケージであって、
前記蓄光部は、前記収納本体部のうち前記開口端を形成する開口端縁部、及び、前記蓋部のうち該蓋部が閉鎖された際に前記開口端縁部に対向配置される蓋側下端縁部の少なくとも何れか一方の部位に設けられている、
請求項１に記載のたばこ物品の包装体。
【請求項６】
前記包装体は、上部に開口端を有すると共に内部にたばこ物品を収容可能な収納本体部と、ヒンジを介して前記収納本体部に接続されると共に前記開口端を開閉可能な蓋部と、前記蓋部側に設けられると共に前記収納本体部の外面に再接着可能なリシール摘み部と、を備えるリシールパッケージであって、
前記蓄光部は、前記リシール摘み部、及び、前記収納本体部のうち該収納本体部に接着される前記リシール摘み部に近接するリシール摘み近接領域の少なくとも何れか一方の部位に設けられている、
請求項１に記載のたばこ物品の包装体。
【請求項７】
前記包装体は、開口端を有する外箱と、前記外箱に対してスライド又は揺動自在に保持されると共にたばこ物品を収容する内箱と、を備えるパッケージであって、
前記外箱には、前記内箱の一部を露出させる操作窓が設けられており、
前記蓄光部は、前記外箱に該内箱が収容された状態で前記操作窓を通じて外部に露出する内箱露出部、及び、前記外箱のうち前記操作窓に近接する操作窓近接領域の少なくとも何れか一方の部位に設けられている、
請求項１に記載のたばこ物品の包装体。
【請求項８】
前記包装体は、内部にたばこ物品を収容可能な箱形パッケージであって、
前記蓄光部は、前記箱形パッケージの上下前後左右の各方向をユーザに把握させる基準面の少なくとも一部に設けられている、
請求項１に記載のたばこ物品の包装体。
【発明の詳細な説明】
【技術分野】
【０００１】
本発明は、たばこ物品の包装体に関する。
【背景技術】
【０００２】
シガレット等のたばこ物品を包装する包装体として種々のものがある。典型的には、２０本程度のたばこ物品をひとまとめにして個装したパッケージが知られており、包装紙の厚さと包装方法によってハードパッケージとソフトパッケージに分類される。【０００３】
例えば、ハードパッケージの一形態として、ヒンジを介してアウタボックスに開閉自在に連結された蓋部を備えるヒンジリッドパッケージが広く知られている。また、ハードパッケージの他の形態として、例えばスライドパッケージやスイングパッケージ等が知られている。スライドパッケージは、例えば開口端を有する外箱と、外箱に対してスライド自在に保持されてシガレット等のたばこ物品を収容可能な内箱を有し、内箱を外箱から引き出した際に内箱におけるたばこ物品の取り出し口が外部に露出するように構成されたパッケージである。スライド型パッケージは、外箱の上方に向かって内箱を引き出し可能なアップスライドパッケージや、外箱の側方に向かって内箱を引き出し可能なサイドスライドパッケージ等がある。また、スイング型パッケージは、たばこ物品を収容可能な内箱と、内箱に対して揺動可能に保持する外箱とを備えたパッケージである。【０００４】
また、上記のハードパッケージやソフトパッケージ等のパッケージは、複数個ひとまとめにされてカートン或いはパーセル等の中間包装体によって包装される場合がある。一般に、カートンは比較的厚い厚紙によって形成された包装体であり、パーセルは比較的薄い薄紙によって形成された包装体である。【０００５】
ところで、暗所において包装体からたばこ物品を取り出そうとする場合、包装体が未開封であれば暗所で包装体を開封する必要がある。また、包装体が既に開封済みであっても、包装体の内部からたばこ物品を暗所で取り出す必要がある。通常、たばこ物品の包装体は暗所での視認性が低いため、たばこ物品を包装体の内部から外部に取り出す作業は暗所において遣り難いという問題点があった。
【先行技術文献】
【特許文献】
【０００６】
【特許文献１】特開２００５−１３８９０６号公報
【特許文献２】特開２０１２−２０８５４５号公報
【特許文献３】国際公開第０２／４９４６３号
【発明の概要】
【発明が解決しようとする課題】
【０００７】
これに対して、特許文献１には、たばこケースに蓄光機能を付与する技術が開示されている。しかしながら、たばこケースにただ単純に蓄光機能を付与するだけでは、暗所においてケースからたばこ物品を外部に取り出す際の作業容易性が十分に高いとはいえず、未だ改善の余地がある。【０００８】
本発明は、上記した実情に鑑みてなされてものであって、その目的は、暗所において包装体からたばこ物品を取り出す際の作業容易性を従来よりも向上させることの可能な技術を提供することにある。
【課題を解決するための手段】
【０００９】
上記課題を解決するための本発明は、たばこ物品を包装する包装体であって、前記包装体のうち、該包装体に包装されているたばこ物品を外部に取り出す操作をユーザが行う際に依拠する特定部位の外面に、蓄光顔料を含む蓄光部が設けられていることを特徴とする。なお、たばこ物品とは、例えば紙巻たばこ（フィルタシガレット、両切たばこ（フィルタ無し））、シガー（葉巻）、シガリロ、スヌース、嗅ぎたばこ、チューイングたばこ、電子たばこ等が例示できる。【００１０】
本発明に係るたばこ物品の包装体は、特定部位に設けられた蓄光部に蓄えた光エネルギーを燐光として発することができる。そして、本発明は、包装体に包装されているたばこ物品を外部に取り出す操作をユーザが行う際に依拠する特定部位の外面に蓄光部を設けることとした。包装体からたばこ物品を取り出す操作を行う際に依拠する特定部位とは、ユーザがその特定部位に基づいて、或いは拠り所としてたばこ物品の取り出し操作を行う部位である。包装体に対してただ漫然と蓄光機能を付与するのではなく、本発明は上記したような特別な部位に蓄光部を設けるようにしたので、暗所において包装体からたばこ物品を取り出す際の作業容易性を従来に比べて好適に向上させることができる。【００１１】
ここで、前記蓄光部は、前記包装体の開封時に該包装体から切り離される開封帯の先端摘み部、及び前記包装体のうち該先端摘み部に近接する先端摘み近接領域の少なくとも何れか一方の部位に設けられていてもよい。【００１２】
また、前記蓄光部は、前記包装体のうち該包装体を密封する外包フィルムを開封する開封テープの先端摘み部と上下に重なる先端摘み重複部、及び該先端摘み重複部に近接する先端摘み近接領域の少なくとも何れか一方の部位に設けられていてもよい。【００１３】
また、前記包装体は、内包紙によってたばこ物品を包み込み且つ該たばこ物品の端部側に該内包紙を折り込むことで形成される閉塞面を有する内箱部と、外包紙により形成されて前記閉塞面が露出するように前記内箱部を包む外箱部と、を備えるソフトパッケージであって、前記蓄光部は、前記内包紙のうち前記閉塞面に対応する部位の少なくとも一部に設けられていてもよい。【００１４】
また、前記包装体は、上部に開口端を有すると共に内部にたばこ物品を収容可能な収納本体部と、ヒンジを介して該収納本体部に接続されると共に前記開口端を開閉可能な蓋部と、を含むヒンジリッドパッケージであって、前記特定部位は、前記収納本体部のうち前記開口端を形成する開口端縁部、及び、前記蓋部のうち該蓋部が閉鎖された際に前記開口端縁部に対向配置される蓋側下端縁部の少なくとも何れか一方の部位を含んでいてもよい。【００１５】
また、前記包装体は、上部に開口端を有すると共に内部にたばこ物品を収容可能な収納本体部と、ヒンジを介して前記収納本体部に接続されると共に前記開口端を開閉可能な蓋部と、を備えるヒンジリッドパッケージであって、前記蓄光部は、前記収納本体部のうち前記開口端を形成する開口端縁部、及び、前記蓋部のうち該蓋部が閉鎖された際に前記開口端縁部に対向配置される蓋側下端縁部の少なくとも何れか一方の部位に設けられていてもよい。【００１６】
また、前記包装体は、上部に開口端を有すると共に内部にたばこ物品を収容可能な収納本体部と、ヒンジを介して前記収納本体部に接続されると共に前記開口端を開閉可能な蓋部と、前記蓋部側に設けられると共に前記収納本体部の外面に再接着可能なリシール摘み部と、を備えるリシールパッケージであって、前記蓄光部は、前記リシール摘み部、及び、前記収納本体部のうち該収納本体部に接着される前記リシール摘み部に近接するリシール摘み近接領域の少なくとも何れか一方の部位に設けられていてもよい。【００１７】
また、前記包装体は、開口端を有する外箱と、前記外箱に対してスライド又は揺動自在に保持されると共にたばこ物品を収容する内箱と、を備えるパッケージであって、前記外箱には、前記内箱の一部を露出させる操作窓が設けられており、前記蓄光部は、前記外箱に該内箱が収容された状態で前記操作窓を通じて外部に露出する内箱露出部、及び、前記外箱のうち前記操作窓に近接する操作窓近接領域の少なくとも何れか一方の部位に設けられていてもよい。【００１８】
また、前記包装体は、内部にたばこ物品を収容可能な箱形パッケージであって、前記蓄光部は、前記箱形パッケージの上下前後左右の各方向をユーザに把握させる基準面の少なくとも一部に設けられていてもよい。【００１９】
なお、本発明における課題を解決するための手段は、可能な限り組み合わせて採用することができる。
【発明の効果】
【００２０】
本発明によれば、暗所において包装体からたばこ物品を取り出す際の作業容易性を従来よりも向上させることの可能な技術を提供できる。
【図面の簡単な説明】
【００２１】
【図１】図１は、実施形態１に係るパッケージの斜視図である。
【図２】図２は、実施形態１に係るパッケージの斜視図である。
【図３】図３は、実施形態２に係るパッケージの斜視図である。
【図４】図４は、実施形態２に係るパッケージの変形例を示す図である。
【図５】図５は、実施形態３に係るパッケージの斜視図である。
【図６】図６は、実施形態３に係るパッケージの変形例を示す図である。
【図７】図７は、実施形態４に係るパーセル包装体を示す図である。
【図８】図８は、実施形態４に係るパーセル包装体の変形例を示す図である。
【図９】図９は、実施形態４に係るパーセル包装体の他の変形例を示す図である。
【図１０】図１０は、実施形態５に係るパッケージの斜視図である。
【図１１】図１１は、実施形態５に係るパッケージの斜視図である。
【図１２】図１２は、実施形態５に係るパッケージの変形例を示す図である。
【図１３】図１３は、実施形態６に係るパッケージの斜視図である。
【図１４】図１４は、実施形態６に係るパッケージの変形例を示す図である。
【図１５】図１５は、実施形態７に係るパッケージの斜視図である。
【発明を実施するための形態】
【００２２】
ここで、本発明に係るたばこ物品の包装体の実施形態について、図面に基づいて説明する。本実施形態に記載されている構成要素の寸法、材質、形状、その相対配置等は、特に特定的な記載がない限りは、発明の技術的範囲をそれらのみに限定する趣旨のものではない。
【００２３】
＜実施形態１＞
図１及び図２は、実施形態１に係るシガレットパッケージ（以下、単に「パッケージ」という）１Ａの斜視図である。パッケージ１Ａは、略直方体形状をなしたヒンジリッドパッケージであり、収納本体部２Ａと、当該収納本体部２ＡにヒンジＨを介して接続される蓋部３Ａを備えている。図１は、蓋部３Ａが開放された状態のパッケージ１Ａを正面側から眺めた状態を示している。図２は、蓋部３Ａが閉鎖された状態のパッケージ１Ａを正面側から眺めた斜視図である。図２に、パッケージ１Ａの上下前後左右の各方向を示す。実施形態１に係るパッケージ１Ａは、たばこ物品としてのシガレットを包装する包装体である。パッケージ１Ａの材料としては、例えばカード紙やマニラボール紙等の紙材が好適に用いられるが、これに限定されるものではない。
【００２４】
収納本体部２Ａは、直方体形状の上端側が斜めに切り欠かれた形状を有する箱体であり、上端に開口端２０が設けられている。収納本体部２Ａの内部には、シガレットＣを収容する収容空間が形成されており、蓋部３Ａが開放されているときに開口端２０からシガレットＣを取り出すことができる。収納本体部２Ａの開口端２０には、インナフレーム４が設けられている。インナフレーム４は、略Ｕ字形状をなした前面フレームと、この前面フレームの両側縁に連結された側面フレームとを有する部材であり、収納本体部２Ａの開口端２０を補強するとともに、蓋部３Ａの開閉を案内するガイドとして機能する部材である。
【００２５】
収納本体部２Ａは、前壁２１、後壁２２、左右一対の側壁２３、及び底壁２４を有する。蓋部３Ａは、前壁３１、後壁３２、左右一対の側壁３３、及び天壁３４を有する。蓋部３Ａにおける後壁３２の下端は、ヒンジＨを介して収納本体部２Ａにおける後壁２２の上端と連結されており、これによって蓋部３Ａと収納本体部２Ａとの相対回動が可能となっている。
【００２６】
本実施形態におけるパッケージ１Ａの外面には、パッケージ１Ａによって包装されているシガレットＣを外部に取り出す操作をユーザ（喫煙者）が行う際に依拠する（目印となる）特定部位に、蓄光顔料を含む蓄光部５が設けられている。図２に示すハッチング部分は、パッケージ１Ａの外面において、蓄光部５が形成されている箇所（領域）を示したものである。図２に示す例では、蓋部３Ａの天壁３４（外面）の全面に、蓄光部５が形成されている。また、図２に示す符号Ｌは、閉鎖状態にある蓋部３Ａと収納本体部２Ａとの境界部に形成される「閉鎖線」であり、この閉鎖線Ｌを挟んで蓋部３Ａの下端縁部（以下、「蓋側下端縁部」という）３５と収納本体部２Ａの開口端縁部２５とが対向配置される。図２に示すように、パッケージ１Ａにおける外面のうち、収納本体部２Ａの開口端縁部２５及び蓋部３Ａの蓋側下端縁部３５に対応する領域に蓄光部５が設けられている。
【００２７】
蓄光部５は、パッケージ１Ａ（包装体）の外面に蓄光インキを塗布することによって形成されている。ここで、「蓄光」とは、「夜光」とも呼ばれる場合があり、光を蓄えて発光する物質の性状をいう。蓄光インキは、蓄光性を有する物質である蓄光顔料を含むインキ（インク）をいう。蓄光顔料（蓄光成分）は、太陽光や蛍光灯等が発する光を吸収して自ら発光する顔料である。このような蓄光顔料としては公知のものを使用することができ、例えば、硫化亜鉛、硫化カルシウム、硫化ゲルマニウム、硫化ストロンチウム、硫化イットリウム等の硫化物、酸化カルシウム、酸化ストロンチウム、酸化バリウム、アルミナ、酸化セリウム等の金属酸化物、アルミン酸カルシウム、アルミン酸ストロンチウム、アルミン酸バリウム等のアルミン酸塩等を主成分としたものが挙げられる。また、蓄光顔料は、ユウロピウム、テルビウム、イットリウム、ジルコニウム、ジスプロシウム及びバリウムからなる群から選ばれる少なくとも１種以上の元素で賦活されたものであってもよい。
【００２８】
なお、発光輝度、残光時間、耐光性（光による顔料の性質変化が起こり難い性質）の観点から、蓄光顔料にアルミン酸ストロンチウムを用いることが好ましい。蓄光顔料にアルミン酸ストロンチウムを用いることで、蓄光作用が高く、発光性に優れる蓄光部５を形成することができる。
【００２９】
本実施形態に係るパッケージ１Ａによれば、図２にハッチングで示される蓄光部５が発光する。パッケージ１Ａの閉鎖線Ｌは、閉鎖状態にある蓋部３Ａと収納本体部２Ａとの境界部に相当する部位であり、ユーザ（喫煙者）がパッケージ１ＡからシガレットＣを外部に取り出す操作を行う際に依拠する特定部位となる。ここでいう特定部位は、ユーザが基準とし、或いは拠り所として、パッケージ１ＡからシガレットＣを外部に取り出す操作を行うような部位をいう。パッケージ１Ａは、上記のように、閉鎖線Ｌを形成する蓋部３Ａの蓋側下端縁部３５及び収納本体部２Ａの開口端縁部２５に蓄光部５を配置しているため、蓄光部５の発光を利用して暗所においても閉鎖線Ｌの位置を容易に把握できる。その結果、暗所においてパッケージ１ＡからシガレットＣを取り出す際の作業容易性を、従来に比べて好適に向上させることが可能となる。
【００３０】
ところで、パッケージ１Ａの上面位置を把握することができれば、それに基づいてパッケージ１Ａにおける上下前後左右の各方向を把握（判別）できる。パッケージ１Ａは、蓋部３Ａの天壁３４に蓄光部５が配置設けられているため、蓄光部５の発光に基づいて暗所においてもパッケージ１Ａの上面位置を容易に把握することができる。その結果、ユーザは、暗所においてもパッケージ１Ａの上下前後左右の各方向を容易に把握でき、パッケージ１ＡからシガレットＣを取り出す際の作業容易性を一段と高めることができる。例えば、ユーザは、蓄光部５の発光によって蓋部３Ａにおける天壁３４の位置を容易に把握できるため、この天壁３４を上方に向けた状態で蓋部３Ａを開放する操作を行う。その結果、パッケージ１Ａの天地（上下）が逆になった状態で蓋部３Ａを開いてしまうことがなく、収納本体部２ＡからシガレットＣがこぼれ落ちるという事態を回避できる。なお、図２に示す例では、蓋部３Ａにおける天壁３４の全体に蓄光部５を形成しているが、天壁３４の一部に蓄光部５を形成してもよい。
【００３１】
また、本実施形態においては、閉鎖線Ｌを形成する蓋部３Ａの蓋側下端縁部３５及び収納本体部２Ａの開口端縁部２５の双方に蓄光部５を設けているが、蓋部３Ａの蓋側下端縁部３５及び収納本体部２Ａの開口端縁部２５の少なくとも何れか一方に蓄光部５を設ければよい。したがって、蓋部３Ａの蓋側下端縁部３５及び収納本体部２Ａの開口端縁部２５の一方のみに蓄光部５を形成してもよい。このようにしても、上記と同様の効果が得られ、暗所においてパッケージ１ＡからシガレットＣを取り出す際の作業容易性が向上する。
【００３２】
また、本実施形態においては、パッケージ１Ａの上下前後左右をユーザに把握させる基準面の一例として、パッケージ１Ａの上面に対応する蓋部３Ａの天壁３４を採用しているが、パッケージ１Ａにおける他の面を基準面として採用することができる。例えば、パッケージ１Ａにおける下面に対応する収納本体部２Ａの底壁２４に蓄光部５を設けてもよく、これによってユーザは暗所においてもパッケージ１Ａにおける下面位置を簡単に把握することができる。この場合、蓄光部５の発光によって暗所においても収納本体部２Ａの底壁２４の位置を容易に把握できるため、当該底壁２４を下方に向けた状態で蓋部３Ａを開放する操作を行う。これによって、パッケージ１Ａの天地（上下）が逆の状態で蓋部３Ａを開放することがなく、収納本体部２ＡからシガレットＣがこぼれ落ちることを回避できる。
【００３３】
ここで、蓄光顔料の好ましい含有量は、例えば、蓄光インキ全量に対して５〜６０質量％とする態様が挙げられる。蓄光インキ全量に対する蓄光顔料の含有量が多くなれば高発光（高発光輝度）が得られ易いが、パッケージ１Ａの基材表面に塗布された蓄光インキによって形成される蓄光部５の層厚が大きくなり過ぎると、層内（特に、蓄光部５の底部）への光の到達が不十分になる場合がある。その場合、層厚に比例した発光効果を得られない可能性がある。また、蓄光インキによって形成される蓄光部５の層厚が小さくなり過ぎると、発光輝度及び残光時間が十分に得られない虞がある。蓄光部５に要求される性能に応じて、蓄光インキ全量に対する蓄光顔料の質量％を適宜調整するとよい。なお、蓄光インキによって形成される蓄光部５の厚さは、例えば１〜３００μｍとする態様が例示でき、５〜３０μｍの範囲で調整することが好ましい。
【００３４】
なお、蓄光インキを塗布するパッケージ１Ａの基材は、シガレットパッケージに一般的に用いられているものを使用することができるが、基材の色が淡色系の方が蓄光顔料の発光効果が得られやすく、基材が白色系であると特に好ましい。マンセル表色系（マンセル・カラー・システム）において、パッケージ１Ａにおける基材の明度を６以上１０以下に設定する態様が挙げられる。また、パッケージ１Ａにおける基材の明度を７以上１０以下に設定すると好ましく、８以上１０以下に設定すると特に好ましい。なお、マンセル表色系において、白色の明度は１０であり、黒色の明度は１である。
【００３５】
なお、本実施形態において、パッケージ１Ａの外面に対する蓄光インキの塗布方法は特に限定されないが、種々の印刷技術を用いることができる。例えば、蓄光顔料を含む蓄光インキを、オフセット印刷、グラビア印刷、スクリーン印刷、フレキソ印刷等の印刷技術を用いてパッケージ１Ａの基材表面に印刷してもよい。また、ＵＶ（紫外線）硬化型インキに蓄光顔料を混合したものをパッケージ１Ａの基材表面に印刷することで、蓄光部５を形成してもよい。
【００３６】
また、蓄光部５を形成する蓄光インキに含まれる蓄光顔料の平均粒径は特に限定されないが、発光性及び残光性を高める観点からは平均粒径が大きい方が好ましい。但し、インキ中で蓄光顔料をより均一に混合するという観点からは、蓄光顔料の平均粒径が小さい方が好ましい。また、蓄光顔料の平均粒径が過度に大きいと、パッケージ１Ａの基材表面において、印刷ムラ等の印刷不良（印刷障害）を招く虞がある。例えば、グラビア印刷機やフレキソ印刷機には、彫刻ロールなどの凹版に接触させて余分なインキを取り除くための機械部品であるブレード部材が搭載されているが、蓄光顔料の平均粒径が過度に大きい場合にはブレード部材が摩耗し易い。その結果、凹版の余分な蓄光インキを完全に取り除くことができなくなり、印刷不良を招く要因となる。そこで、蓄光部５に要求される発光性及び残光性を確保しつつ、印刷不良が発生しない範囲で、蓄光顔料の平均粒径を調節するとよい。本実施形態のようにパッケージ１Ａの基材表面に蓄光インキを印刷する場合には、蓄光顔料の平均粒径を０．０１〜３０μｍとする態様が例示でき、１〜２０μｍとすると好ましく、１〜１０μｍとすると特に好ましい。
【００３７】
また、本実施形態においては、パッケージ１Ａの基材表面に蓄光インキを印刷した後、好ましくは、蓄光インキの上に透光性を有するオーバーコートニスを積層することで、蓄光インキを保護してもよい。なお、透光性を有するオーバーコートニスは、蓄光部５からの発光（燐光）の透過を妨げなければよく、無色透明層であってもよいし着色透明層であってもよい。オーバーコートニスとしては、例えばアクリル樹脂、エポキシ樹脂、ウレタン樹脂、ポリエステル樹脂、ＡＢＳ樹脂等を用いることができる。
【００３８】
＜実施形態２＞
次に、実施形態２について説明する。図３は、実施形態２に係るパッケージ１Ｂ（包装体）の斜視図である。パッケージ１Ｂは、ヒンジＨを介して回動自在に連結される収納本体部２Ｂ及び蓋部３Ｂを備えるリシール型のヒンジリッドパッケージである。以下、パッケージ１Ｂと前述のパッケージ１Ａとの相違点を中心に説明し、パッケージ１Ａと共通の構成については同じ符号を付すことで詳しい説明を省略する。
【００３９】
パッケージ１Ｂにおいて、蓋部３Ｂの前壁３１には、蓋側下端縁部３５から下方に向けてリシール摘み部３６が突出して設けられている。リシール摘み部３６は、裏面に再接着（再剥離）可能な接着部３６ａが設けられており、収納本体部２Ｂの前壁２１に対して再接着（リシール）することが可能である。そして、本実施形態においては、リシール摘み部３６の外面に、蓄光顔料を含む蓄光インキが印刷された蓄光部５が設けられている。なお、パッケージ１Ｂにおいて、収納本体部２Ｂにインナフレーム４（図１を参照）が設けられている場合、インナフレーム４に対してリシール摘み部３６の接着部３６ａを再接着（再剥離）可能とする構成としてもよい。また、収納本体部２Ｂにインナフレーム４が設けられていない場合、シガレットＣの束を包装するアルミ箔などの包装材料の外面に対してリシール摘み部３６の接着部３６ａを再接着（再剥離）可能とする構成としてもよい。
【００４０】
パッケージ１Ｂは、収納本体部２ＢからシガレットＣを取り出すために蓋部３Ｂを開放する際、リシール摘み部３６を摘んで蓋部３Ｂを開放する開放操作が行われる。したがって、パッケージ１Ｂのリシール摘み部３６は、ユーザ（喫煙者）が暗所で喫煙する際、パッケージ１ＢからシガレットＣを外部に取り出す操作をユーザが行う際に依拠する（目印とする）特定部位に相当する。パッケージ１Ｂは、このような特別な部位であるリシール摘み部３６に蓄光部５を設けるようにしたので、蓄光部５の発光を利用して暗所においてもリシール摘み部３６の位置を容易に把握し、摘むことが可能となる。その結果、暗所においてパッケージ１ＢからシガレットＣを取り出す際の作業容易性を従来に比べて向上させることができる。
【００４１】
また、図４に示す変形例のように、パッケージ１Ｂにおいて、蓄光部５をリシール摘み部３６の代わりに、収納本体部２Ｂの前壁２１におけるリシール摘み近接領域２６に設けてもよい。このリシール摘み近接領域２６は、収納本体部２Ｂにおける前壁２１のうち、前壁２１に接着された状態のリシール摘み部３６の外周を囲むように該リシール摘み部３６に隣接する領域である。本変形例のように、リシール摘み部３６の代わりに、このリシール摘み部３６が接着される収納本体部２Ｂ側のリシール摘み近接領域２６に蓄光部５を設けることによっても、暗所において容易にリシール摘み部３６の位置を把握できるという効果を奏する。なお、本実施形態においては、リシール摘み部３６及びリシール摘み近接領域２６の少なくとも何れか一方を含んで蓄光部５を設ければよい。したがって、リシール摘み部３６及びリシール摘み近接領域２６の双方に蓄光部５を設けてもよい。なお、本変形例においても、収納本体部２Ｂにインナフレーム４（図１を参照）が設けられている場合、インナフレーム４に対してリシール摘み部３６の接着部３６ａを再接着（再剥離）可能とする構成としてもよい。また、収納本体部２Ｂにインナフレーム４が設けられていない場合、シガレットＣの束を包装するアルミ箔などの包装材料の外面に対してリシール摘み部３６の接着部３６ａを再接着（再剥離）可能とする構成としてもよい。
【００４２】
＜実施形態３＞
次に、実施形態３について説明する。図５は、実施形態３に係るパッケージ１Ｃ（包装体）の斜視図である。パッケージ１Ｃは、ヒンジＨを介して回動自在に連結される収納本体部２Ｃ及び蓋部３Ｃを備えるパッケージである。図５には、開封前のパッケージ１Ｃが示されている。
【００４３】
パッケージ１Ｃの前面には、パッケージ１Ｃを幅方向に横断する開封帯６が形成されている。開封帯６の先端には舌片状の先端摘み部６０が形成されている。開封帯６は、その延伸方向に沿って形成される切断線としての一対の平行なミシン目６ａ，６ｂを有する。パッケージ１Ｃを開封する際、先端摘み部６０を摘んで引っ張ることで、ミシン目６ａ，６ｂに沿って開封帯６がパッケージ１Ｃから切り離される。また、パッケージ１Ｃにおける左右の側面には、ミシン目６ａの各端部からヒンジＨの端部を結ぶ切断線としてのミシン目６ｃが斜めに延びている。パッケージ１Ｃを開封するに際して、開封帯６をパッケージ１Ｃから切り取った後、各側面のミシン目６ｃを切り裂くことにより、ヒンジＨ部分を除いて収納本体部２Ｃと蓋部３Ｃが分離される。
【００４４】
パッケージ１Ｃは、開封帯６の先端に連設される先端摘み部６０に蓄光部５が設けられている。開封帯６の先端摘み部６０は、パッケージ１Ｃの開封時にユーザによって摘まれる部位であるため、パッケージ１ＣからシガレットＣを外部に取り出す操作をユーザが行う際に依拠する（目印とする）特定部位となる。パッケージ１Ｃは、開封帯６の先端摘み部６０に蓄光部が形成されているため、暗所においても先端摘み部６０の位置を容易に把握でき、パッケージ１Ｃを容易に開封することができる。その結果、暗所でパッケージ１ＣからシガレットＣを取り出す際の作業容易性を一段と高めることができる。なお、開封帯６は、少なくとも先端摘み部６０に蓄光部５が形成されていればよく、開封帯６の全体に蓄光部５が形成されていてもよい。
【００４５】
また、パッケージ１Ｃにおける蓄光部５は、図６に示す変形例のように、パッケージ１Ｃのうち先端摘み部６０に近接する先端摘み近接領域７に形成されていてもよい。図６に示す例では、先端摘み近接領域７は、開封帯６における先端摘み部６０の周囲を囲む領域として形成されており、パッケージ１Ｃを開封する際にユーザが依拠する基準位置となり得る部位である。本変形例のように、先端摘み近接領域７に蓄光部５を設けることで、暗所においてもユーザは先端摘み近接領域７の位置に基づいて先端摘み部６０の位置を容易に把握できる。その結果、暗所においてパッケージ１Ｃを容易に開封することができる。なお、本実施形態に係るパッケージ１Ｃは、開封帯６の先端摘み部６０及び先端摘み近接領域７の少なくとも何れか一方に蓄光部５が設けられていればよい。したがって、開封帯６の先端摘み部６０及び先端摘み近接領域７の双方に蓄光部５を設けてもよい。
【００４６】
＜実施形態４＞
次に、実施形態４について説明する。図７は、実施形態４に係るパーセル包装体１Ｄを示す図である。パーセル包装体１Ｄは、例えば、シガレット２０本入りのシガレットパッケージ（ハードパッケージやソフトパッケージ）を複数個まとめて包装した中間包装体である。パーセル包装体１Ｄは、例えば５個ずつ２段に集積したシガレットパッケージを紙などの包材Ｗにより包み込んで形成されている。
【００４７】
パーセル包装体１Ｄには、パーセル包装体１Ｄを開封するための開封帯８が設けられている。開封帯８は、一対の平行な切断線であるミシン目８ａ，８ｂによって形成されている。また、開封帯８の先端側には先端摘み部８０が連設されている。パーセル包装体１Ｄを開封する際、先端摘み部８０を摘んで引っ張ることで、ミシン目８ａ，８ｂに沿って開封帯８が包材Ｗから切り離される。これにより、パーセル包装体１Ｄを開封し、内部のシガレットパッケージを取り出すことができる。
【００４８】
パーセル包装体１Ｄは、開封帯８の先端に連設される先端摘み部８０に、蓄光部５が形成されている。開封帯８の先端摘み部８０は、パーセル包装体１Ｄを開封する際にユーザが摘む部位であるため、ユーザがパーセル包装体１ＤからシガレットＣを外部に取り出す操作を行う際に依拠する（目印とする）特定部位となる。本実施形態に係るパーセル包装体１Ｄは、開封帯８の先端摘み部８０に蓄光部５が設けられているため、暗所においても先端摘み部８０の位置を容易に把握することができ、パーセル包装体１Ｄを容易に開封することができる。その結果、暗所でパーセル包装体１Ｄからシガレットパッケージを取り出す際の作業容易性を一段と向上させることができる。なお、蓄光部５は、開封帯８における少なくとも先端摘み部８０に設けられていればよく、開封帯８の全体に蓄光部５を設けるようにしてもよい。
【００４９】
また、図８に示す変形例のように、パーセル包装体１Ｄの蓄光部５は、パーセル包装体１Ｄにおける包材Ｗのうち、先端摘み部８０に近接する先端摘み近接領域９に設けられていてもよい。図８に示す例では、先端摘み近接領域９は、開封帯８における先端摘み部８０の周囲を囲む領域として形成されており、パーセル包装体１Ｄを開封する際にユーザが依拠する基準位置となり得る部位である。
【００５０】
本変形例のように、先端摘み近接領域９に蓄光部５を設けることで、暗所においてもユーザは先端摘み近接領域９の位置に基づいて開封帯８における先端摘み部８０の位置を容易に把握でき、以ってパーセル包装体１Ｄを容易に開封できる。なお、本実施形態においては、パーセル包装体１Ｄにおける開封帯８の先端摘み部８０及び先端摘み近接領域９の少なくとも何れか一方に蓄光部５を設ければよい。したがって、開封帯８の先端摘み部８０及び先端摘み近接領域９の双方に蓄光部５を設けてもよい。また、図９に示す変形例のように、パーセル包装体１Ｄは、当該パーセル包装体１Ｄを開封するための単一のミシン目８ｃが一文字状に形成されていてもよい。この場合、図９に示すように、ミシン目８ｃの周囲を囲む領域に蓄光部５を形成してもよい。このように、パーセル包装体１Ｄを開封する際にユーザが依拠する基準位置となり得る部位に蓄光部５を形成することで、暗所においてもユーザがパーセル包装体１Ｄを容易に開封できる。なお、図７〜９に示した蓄光部５に関する態様は、包材Ｗとしてパーセル包装体１Ｄよりも厚い紙を使用したカートン包装体に適用することも可能である。
【００５１】
＜実施形態５＞
次に、実施形態５について説明する。図１０は、実施形態５に係るパッケージ１Ｅの斜視図である。パッケージ１Ｅは、サイドスライドパッケージであり、シガレットＣを収容可能な内箱１０と、内箱１０をスライド自在に保持する外箱１１を備えている。
【００５２】
外箱１１は、側部に開口端１１ａを有する略直方体形状の箱体であり、前壁１１１、後壁１１２、側壁１１３、天壁１１４、底壁１１５を有する。内箱１０は、外箱１１の開口端１１ａから挿抜することができ、外箱１１の幅方向にスライド自在（往復動自在）に配設されている略直方体形状の内箱１０を備えている。
【００５３】
図１１は、実施形態５に係るパッケージ１Ｅを外箱１１の側壁１１３側から眺めた斜視図である。図１１において、内箱１０は外箱１１の内部に収容されている。図１１に示すように、外箱１１の側壁１１３には矩形状の操作窓１２が設けられており、操作窓１２を通じて内箱１０の側面の一部が外部に露出している。以下では、内箱１０のうち操作窓１２を通じて露出する部位を内箱露出部１０１と呼ぶ。本実施形態に係るパッケージ１Ｅは、内箱１０の内箱露出部１０１と外箱１１の天壁１１４に蓄光部５が設けられている。
【００５４】
パッケージ１Ｅにおいて、喫煙時に内箱１０からシガレットＣを取り出す際、外箱１１から内箱１０を引き出す操作が行われる。その際、ユーザは、外箱１１における操作窓１２を通じて内箱１０を指で押し込み、内箱１０を外箱１１の幅方向にスライドさせる。これにより、図１０に示すように、外箱１１の開口端１１ａから内箱１０が引き抜かれ、シガレットＣの取り出しが可能な状態となる。
【００５５】
ここで、外箱１１の操作窓１２を通じて外部に露出する内箱露出部１０１は、パッケージ１ＥからシガレットＣを取り出す際にユーザが依拠する（目印とする）特定部位に相当する。これに対して、パッケージ１Ｅによれば、内箱１０の内箱露出部１０１に蓄光部５が設けられているため、暗所においても内箱露出部１０１の位置を容易に把握することができ、内箱１０のスライド操作を容易に行うことができる。つまり、暗所において、パッケージ１Ｅから簡単にシガレットＣを取り出すことができる。
【００５６】
また、パッケージ１Ｅは、外箱１１の天壁１１４にも蓄光部５が設けられている。外箱１１の天壁１１４は、パッケージ１Ｅにおける上面に相当するため、パッケージ１Ｅにおける上下前後左右の各方向をユーザに把握させる基準面となる。パッケージ１Ｅは、外箱１１の天壁１１４に蓄光部５が設けられているため、暗所においてもユーザはパッケージ１Ｅの上下前後左右の各方向を容易に把握でき、シガレットＣを取り出す際の作業容易性を一段と向上させることができる。例えば、ユーザは、蓄光部５の発光によって外箱１１の天壁１１４の位置を容易に把握できるため、当該天壁１１４を上方に向けた状態で内箱１０を外箱１１から引き出すことができる。これにより、パッケージ１Ｅの天地（上下）が逆になった状態で内箱１０が外箱１１から引き抜かれることがなく、内箱１０からシガレットＣがこぼれ落ちるという事態を回避できる。なお、図１１に示す例では、外箱１１における天壁１１４の全体に蓄光部５が形成されているが、天壁１１４の一部に蓄光部５を形成してもよい。
【００５７】
また、図１２に示す変形例のように、蓄光部５は、パッケージ１Ｅにおける外箱１１のうち操作窓１２に近接する操作窓近接領域１３に設けられていてもよい。図１２に示す例では、操作窓近接領域１３は、外箱１１における操作窓１２の周囲を囲む領域として形成されており、パッケージ１ＥからシガレットＣを取り出すために外箱１１から内箱１０を引き出す際にユーザが依拠する基準位置となり得る。
【００５８】
本変形例のように、操作窓近接領域１３に蓄光部５を設けることで、暗所においてもユーザは操作窓近接領域１３の位置に基づいて内箱露出部１０１の位置を容易に把握でき、操作窓１２を通じて外箱１１から内箱１０を容易に押し出すことができる。よって、暗所においてパッケージ１ＥからシガレットＣを取り出す際の作業容易性を、従来に比べてより一層向上させることが可能となる。
【００５９】
なお、本実施形態においては、外箱１１の操作窓１２を通じて露出する内箱露出部１０１と、外箱１１における操作窓近接領域１３の少なくとも何れか一方に蓄光部５を形成すればよい。したがって、外箱１１の操作窓１２を通じて露出する内箱露出部１０１と、外箱１１における操作窓近接領域１３の双方に蓄光部５を設けてもよい。
【００６０】
本実施形態においては、外箱１１の幅方向に内箱１０をスライド自在とするサイドスライドパッケージを例に説明したが、外箱１１の上下方向に内箱１０をスライド自在とするアップスライドパッケージに本実施形態に係る蓄光部５の実施態様を適用してもよい。また、シガレットＣを収容可能な内箱と、内箱を揺動自在に保持する外箱とを備えたスイングパッケージが知られているが、本実施形態に係る蓄光部５の実施態様をスイングパッケージに適用してもよい。
【００６１】
＜実施形態６＞
次に、実施形態６について説明する。図１３は、実施形態６に係るパッケージ１Ｆの斜視図である。パッケージ１Ｆは、ヒンジリッドパッケージであり、収納本体部２Ｆと、当該収納本体部２ＦにヒンジＨを介して接続される蓋部３Ｆを備えている。パッケージ１Ｆは、透明な外包フィルム１４によって覆われることで密封されている。外包フィルム１４は、当該外包フィルム１４を引き裂いて開封する開封テープ１５を有している。開封テープ１５の材質は例えば、ポリプロピレンやポリエチレンテレフタレートなどである。開封テープ１５の長さは、収納本体部２Ｆの水平方向における周長よりも少し長くなっており、基端部の上に先端側が重なっている。開封テープ１５の先端側には、ユーザ（喫煙者）がパッケージ１Ｆを開封する際に摘むための先端摘み部１５０が形成されている。
【００６２】
本実施形態においても、パッケージ１Ｆの外面に、蓄光部５が設けられている。蓄光部５は、外包フィルム１４における開封テープ１５の先端摘み部１５０と上下に重なる領域である先端摘み重複部２７に形成されている。
【００６３】
開封テープ１５の先端摘み部１５０は、外包フィルム１４を切り裂いてパッケージ１Ｆを開封する際にユーザによって摘まれる部位であるため、パッケージ１ＦからシガレットＣを外部に取り出す操作をユーザが行う際に依拠する（目印とする）特定部位となる。本実施形態に係るパッケージ１Ｆは、パッケージ１Ｆにおける外面のうち、開封テープ１５の先端摘み部１５０と上下に重なる先端摘み重複部２７に蓄光部５が設けられているため、暗所においても先端摘み部１５０の位置を容易に把握することができる。よって、暗所においても簡単に先端摘み部１５０を摘むことができ、外包フィルム１４を切り裂いてパッケージ１Ｆを容易に開封できる。つまり、暗所においてパッケージ１ＦからシガレットＣを取り出す際の作業性を向上させることができる。なお、蓄光部５は、パッケージ１Ｆにおける外面のうち、開封テープ１５の先端摘み部１５０と上下に重なる領域に少なくとも形成されていればよく、開封テープ１５の全体（周長）と上下に重なる領域に蓄光部５が形成されていてもよい。
【００６４】
また、図１４に示す変形例のように、パッケージ１Ｆの蓄光部５は、パッケージ１Ｆにおける外面のうち、開封テープ１５の先端摘み部１５０と上下に重なる先端摘み重複部２７に近接する先端摘み近接領域２８に設けられていてもよい。図１４に示す例では、先端摘み近接領域２８は、パッケージ１Ｆにおける外面のうち、先端摘み重複部２７の周囲を囲む領域として形成されており、パッケージ１Ｆを開封する際にユーザが依拠する特定部位となる。
【００６５】
本変形例のように、パッケージ１Ｆの先端摘み近接領域２８に蓄光部５を設けることで、暗所においてもユーザは先端摘み近接領域２８の位置に基づいて開封テープ１５における先端摘み部１５０の位置を容易に把握することができ、パッケージ１Ｆを容易に開封することができる。
【００６６】
なお、本実施形態においては、パッケージ１Ｆにおける先端摘み重複部２７及び先端摘み近接領域２８の少なくとも何れか一方に蓄光部５が設けられていればよい。したがって、パッケージ１Ｆにおける先端摘み重複部２７及び先端摘み近接領域２８の双方に蓄光部５が設けられてもよい。また、図１３及び図１４に示した蓄光部５の設置態様は、ソフトパッケージ、パーセル包装体、カートン包装体等を外包フィルムで密封する実施形態に適用することができる。
【００６７】
＜実施形態７＞
次に、実施形態７について説明する。図１５は、実施形態７に係るパッケージ１Ｇの斜視図である。パッケージ１Ｇは、内包紙１６０によってシガレットＣを包み込み且つシガレットＣの端部側に内包紙１６０の一部を折り込むことで形成される閉塞面１６１を有する内箱部１６と、外包紙１７０により形成されて閉塞面１６１が露出するように内箱部１６を包む外箱部１７を備えたソフトパッケージである。また、パッケージ１Ｇは、内包紙１６０の閉塞面１６１上を横切るように外箱部１７に貼り付けられた封かん紙１７１を含む。
【００６８】
パッケージ１Ｇは、透明な外包フィルム１４によって覆われることで密封されている。外包フィルム１４は、当該外包フィルム１４を引き裂いて開封する開封テープ１５を有している。開封テープ１５の先端側には、ユーザがパッケージ１Ｇを開封する際に摘むための先端摘み部１５０が形成されている。
【００６９】
パッケージ１Ｇは、内包紙１６０のうち、閉塞面１６１に対応する部位の少なくとも一部に蓄光部５が設けられている。パッケージ１Ｇを開封する際、ユーザは、開封テープ１５の先端摘み部１５０を摘んで外包フィルム１４を切り裂いた後、閉塞面１６１を構成する内包紙１６０の一部を切り取る場合が多い。したがって、内包紙１６０のうち閉塞面１６１に対応する部位は、シガレットＣを取り出す操作をユーザが行う際に依拠する特定部位となる。
【００７０】
パッケージ１Ｇによれば、内包紙１６０のうち閉塞面１６１に対応する部位に蓄光部５が設けられているため、暗所においても開封時に切り取るべき部位を容易に把握することができる。これにより、暗所においても、パッケージ１Ｇから容易にシガレットＣを取り出すことができる。なお、本実施形態では、内包紙１６０のうち閉塞面１６１に対応する部位の少なくとも一部に蓄光部５が設けられていればよく、閉塞面１６１の全体に蓄光部５が設けられていてもよい。
【００７１】
以上、本発明の好適な実施形態を説明したが、本発明に係るたばこ物品の包装体は、種々の変更、改良、組み合わせ等が可能なことは当業者にとって自明である。
【符号の説明】
【００７２】
１Ａ・・・パッケージ
２Ａ・・・収納本体部
３Ａ・・・蓋部
４・・・インナフレーム
５・・・蓄光部
【図１】
2017017856.tif 000003
【図２】
2017017856.tif 000004
【図３】
2017017856.tif 000005
【図４】
2017017856.tif 000006
【図５】
2017017856.tif 000007
【図６】
2017017856.tif 000008
【図７】
2017017856.tif 000009
【図８】
2017017856.tif 000010
【図９】
2017017856.tif 000011
【図１０】
2017017856.tif 000012
【図１１】
2017017856.tif 000013
【図１２】
2017017856.tif 000014
【図１３】
2017017856.tif 000015
【図１４】
2017017856.tif 000016
【図１５】
2017017856.tif 000017
【国際調査報告】
2017017856.tif 000018
2017017856.tif 000019
2017017856.tif 000020
2017017856.tif 000021